(57)【要約】      （修正有）【課題】扉をレールに容易に組み付けることができ、かつ遮音性能が高い扉装置を提供する。【解決手段】上、下に配設されたレール２に扉４をスライド移動可能に支持させてなり、前記扉４を前記レール２に遮音用のシール部を介して接近又は接触させ得るように寸法設定された扉装置１であって、前記扉４又は前記レール２のいずれか一方の外側に、他方に転接して扉４の厚み方向の振れを抑制するガイドローラ４８を位置変更可能に取着し、このガイドローラ４８の位置を変更することにより前記シール部の当たり調整をすることができるように構成する。【選択図】図３
2010275804.tif 000002
【特許請求の範囲】
【請求項１】
上、下に配設されたレールに扉をスライド移動可能に支持させてなり、前記扉を前記レールに遮音用のシール部を介して接近又は接触させ得るように寸法設定された扉装置であって、前記扉又は前記レールのいずれか一方の外側に、他方に転接して扉の厚み方向の振れを抑制するガイドローラを位置変更可能に取着し、このガイドローラの位置を変更することにより前記シール部の当たり調整をすることができるように構成したことを特徴とする扉装置。
【請求項２】
ガイドローラが、ローラ本体と、このローラ本体を支軸を介して支持するローラベースと、このローラベースと前記扉又は前記レールとの間に挿脱可能に介設される当たり調整用のライナーとを具備してなる請求項１記載の扉装置。
【請求項３】
前記ローラベースが前記扉又は前記レールにビスを用いて取り付けられるものであり、前記ライナーが一辺に開放されたビス挿通用の切欠部を備えている請求項２記載の扉装置。
【請求項４】
前記支軸が軸心を鉛直方向に配向させて設けられたものであり、前記ローラ本体はこの支軸周りに水平回転するものである請求項２又は３記載の扉装置。
【請求項５】
前記扉の上端部に、前記上のレールに遊嵌する転倒防止用の起立部を設けている請求項１、２、３又は４記載の扉装置。
【発明の詳細な説明】
【技術分野】
【０００１】
本発明は、いわゆる壁面パネル等として好適に使用されるスライド式の扉を有した扉装置に関する。
【背景技術】
【０００２】
従来、この種の扉装置として、上、下に配設されたレールに扉をスライド移動可能に支持させてなる扉装置が知られている（例えば、特許文献１を参照）。
【０００３】
ところが、このような扉装置において、前記扉を前記レールに遮音用の微小クリアランスを介して接近させ得るように寸法設定した場合には、不具合が生じる。すなわち、従来のものは、前記扉の上面に上のレールの内部に挿入されるガイドローラを設け、このガイドローラを上のレールの内側面に添接させるようにしている。そのため、扉をレールに組み付けた後に前記ガイドローラの取付位置を調整することが困難であり、扉とレールとの間に遮音に適した微少クリアランスを形成することが困難であった。また、扉にガイドローラを取着した状態でけんどん操作等により該扉をレールに組み付ける必要があるため、扉とレールとのクリアランスを小さく設定することには一定の限界があった。
【先行技術文献】
【特許文献】
【０００４】
【特許文献１】特許第３４５９８４３号公報
【発明の概要】
【発明が解決しようとする課題】
【０００５】
本発明は、このような事情に着目してなされたもので、前述した従来の課題を構成の複雑化を招くことなしに解消することを目的としている。
【課題を解決するための手段】
【０００６】
本発明は、以上のような課題を解消するために、次のような手段を講じたものである。
【０００７】
すなわち、本発明に係る扉装置は、上、下に配設されたレールに扉をスライド移動可能に支持させてなり、前記扉を前記レールに遮音用のシール部を介して接近又は接触させ得るように寸法設定された扉装置であって、前記扉又は前記レールのいずれか一方の外側に、他方に転接して扉の厚み方向の振れを抑制するガイドローラを位置変更可能に取着し、このガイドローラの位置を変更することにより前記シール部の当たり調整をすることができるように構成したことを特徴とする。
【０００８】
ここで、当たり調整とは、シール部における微少クリアランスを調整するものに限られず、互いに接触した材料の一方が弾性体である場合には、該弾性体の接触圧の大きさを調整するものも含まれるものとする。
【０００９】
このような構成のものであれば、ガイドローラが外側に位置することになるので、ガイドローラを後付けすることによって組立作業の簡略化を図ることができる。また、ガイドローラが外側にあれば、この取り付け位置を変更するための手段を扉内に作り込む必要がなく、簡単な構成により当たり調整をすることが可能になる。
【００１０】
特に簡単な構成により当たり調整をするためには、ガイドローラが、ローラ本体と、このローラ本体を支軸を介して支持するローラベースと、このローラベースと前記扉又は前記レールとの間に挿脱可能に介設される当たり調整用のライナーとを具備してなるものが好ましい。
【００１１】
前記ローラベースが前記扉又は前記レールにビスを用いて取り付けられるものである場合、前記ライナーの挿脱作業を容易にするために、該ライナーが一辺に開放されたビス挿通用の切欠部を備えているものが好ましい。
【００１２】
また、前記支軸が軸心を鉛直方向に配向させて設けられたものであり、前記ローラ本体はこの支軸周りに水平回転するものであれば、前記ライナーを用いた場合のライナーの厚みと微少クリアランスの値を一対一に対応させることができ、前記シール部の当たり調整を特に簡単に行うことができる。
【００１３】
前記扉の組立時や当たり調整中に前記扉の転倒を防止するためには、前記扉の上端部に、前記上のレールに遊嵌する転倒防止用の起立部を設けていることが好ましい。ここで遊嵌とは、前記起立部と前記上のレールとの間の距離が、前記微少クリアランスよりも大きいことを意味する。
【発明の効果】
【００１４】
本発明は、以上のような構成であるから、扉をレールに容易に組み付けることができ、かつ遮音性能が高い扉装置を提供することができる。
【図面の簡単な説明】
【００１５】
【図１】本発明の一実施形態にかかる扉装置を示す全体正面図。
【図２】同概略平面図。
【図３】図１におけるＡ−Ａ線断面図。
【図４】同Ｂ−Ｂ線断面図。
【図５】同Ｃ−Ｃ線断面図。
【図６】同Ｄ−Ｄ線断面図。
【図７】図４に対応する要部拡大斜視図。
【図８】図３に対応する要部拡大斜視図。
【発明を実施するための形態】
【００１６】
以下、本発明の一実施形態を、図面を参照して説明する。
【００１７】
この扉装置１は、図１及び図２に示すように、人が行き交う通路などの表空間７１と、建物のインフラを担う各種設備などが収容された裏空間７２とを仕切るために設置されたもので、上、下に配設されたレール２、３に戸車４８、４９を有した扉４をスライド移動可能に支持させてなる。
【００１８】
すなわち、この扉装置１は、図１及び図２に示すように、天井９１に取り付けられた上のレール（以下、「天井レール２」と称する）と、床９２に取り付けられた下のレール（以下、「床レール３」と称する）との間に、前記扉（以下、「スライド点検扉４」と称する）を例えば３枚配設するとともに、これら３枚のスライド点検扉４の両側に開き戸点検扉５を配してなるもので、図２に実線で示すように、全てのスライド点検扉４、及び開き戸点検扉５を面一に閉じた状態で、前記表空間７１と前記裏空間７２とを仕切るための壁面パネルとして機能するようになっている。前記天井レール２及び前記床レール３は、前記スライド点検扉４の３枚分の幅寸法と、前記開き戸点検扉５の２枚分の幅寸法を合計した長さ寸法を有しており、後述するように前記開き戸点検扉５を開くことによって、前記スライド点検扉４を前記両レール２、３に沿ってスライド移動させることができるようになっている。
【００１９】
詳述すれば、前記天井レール２は、図１、図３及び図８に示すように、天井９１に取り付けられたレールベース２１と、このレールベース２１に取り付けられたレール本体２２とを具備してなる。前記レールベース２１は、下方に開口したチャンネル状のもので、外面にアクリル焼付塗装を施したカラー鋼板に曲げ加工を施すことにより作られており、ビスＢ１を用いて前記天井９１に取着されている。しかして、前記レールベース２１の竪壁２１１の前記表空間７１側には塗装の施された化粧面２１１ａが形成されている。
【００２０】
前記レール本体２２は、図３及び図８に示すように、前記レールベース２１の内部に収容されビスＢ２を用いて前記天井９１及び前記レールベース２１に固定されるチャンネル部２２１と、このチャンネル部２２１の一側から前記裏空間７２側に延設され中間をビスＢ３により前記レールベース２１に取着された平板部２２２と、この平板部２２２の延出端から前記スライド点検扉４の裏面に沿って垂下する垂下部２２３とを備えてなる。すなわち、前記チャンネル部２２１、平板部２２２及び垂下部２２３は、１枚の鋼板に曲げ加工を施すことにより作られた一体品である。前記垂下部２２３の内面には、前記スライド点検扉４の裏面に軽く接触するシール部を介して対面する遮音ゴムＲ１が設けられている。換言すれば、この遮音ゴムＲ１は、前記スライド点検扉４の裏面に沿って垂下する前記天井レール２（レール本体２２）の垂下部２２３内面に設けられている。
【００２１】
前記床レール３は、図１、図４及び図７に示すように、床９２に取り付けられたレールベース３１と、このレールベース３１に取り付けられたレール本体３２とを具備してなる。前記レールベース３１は、前記床９２に取着された床レール部材３１１と、この床レール部材３１１に被せた巾木レール部材３１２とを具備してなる。前記床レール部材３１１は、上方に開口したチャンネル状のもので、ビスＢ４を用いて前記床９２に固定されている。前記巾木レール部材３１２は、前記床レール部材３１１内に配置されたアジャスタ３１３により上下高さ調節可能に支持され、下方に開口したチャンネル状のもので、前記床レール部材３１１に上側から被せるようにして嵌合させている。具体的には、前記巾木レール部材３１２は、水平部３６１の一側縁に隆起部３６２を形成してなる天壁３６と、この天壁３６の両側縁から垂下させた竪壁３７とを具備してなる。前記巾木レール部材３１２は、外面にアクリル焼付塗装を施したカラー鋼板に曲げ加工を施すことにより作られており、ビスＢ５を用いて前記床レール部材３１１に取着されている。しかして、前記レールベース３１の竪壁３７の前記表空間７１側には塗装の施された化粧面３７１が形成されている。そして、前記天壁３６の水平部３６１には、前記レール本体３２が取り付けられている。
【００２２】
前記レール本体３２は、図４及び図７に示すように、前記スライド点検扉４の戸車４９を転接支持する突条部３２１と、この突条部３２１の両側縁に連続させて前記表空間７１側及び裏空間７２側に伸びる取付片部３２２とを具備してなる。そして、前記表空間７１側の取付片部３２２の延出端３２２ａから一体的に保護片３２３を垂下させている。すなわち、前記突条部３２１、取付片部３２２及び保護片３２３は、１枚のステンレス鋼板を曲げ加工して作られた一体品である。しかして、前記レールベース３１における天壁３６と表空間７１側の竪壁３７とを連続する角部外面と、前記レール本体３２の延出端３２２ａの内面とを重合させている。そのため、前記レール本体３２の取付を容易に行うことができるようになっている。前記レール本体３２は、前記取付片部３２２をビスＢ６により前記天壁３６に固定することにより前記レールベース３１に取着されており、その取着状態において前記保護片３２３は、前記レールベース３１の前記表空間７１に臨む化粧面３７１の上部を覆うように前記レールベース３１に添設されている。前記保護片３２３は、後述する遮音ゴムＲ４の上部と接触する高さ寸法に設定されている。具体的には、前記保護片３２３の下端が遮音ゴムＲ４の中間部の高さに位置づけられるようにしている。したがって、この保護片３２３が前記床レール３の竪壁３７の上縁に沿ってライン状に見えることとなり、外からの見栄えをよくすることができる。さらに、遮音の効果も確保することができるようになっている。また、前記保護片３２３の外面には、ヘアライン加工を施すことによりヘアライン模様３２３ａが形成されている。
【００２３】
前記スライド点検扉４は、図１乃至図８に示すように、コア材４１を内部に充填した扉枠４２と、この扉枠４２の前記表空間７１に臨む面に添設した表面パネル４３と、前記扉枠４２の裏空間７２に臨む面に添設した裏面パネル４４とを具備してなる。
【００２４】
前記扉枠４２は、図３乃至図７に示すように、戸先フレーム４２１と、戸尻フレーム４２２と、これら両フレーム４２１、４２２の上端間及び下端間をそれぞれ結合する上、下のフレーム４２３、４２４とを具備してなるもので、これらフレーム４２１、４２２、４２３、４２４により囲まれた空間内にロックウール等のコア材４１が充填されている。
【００２５】
前記戸先フレーム４２１は、図５乃至図７に示すように、前記スライド点検扉４の側面を閉塞する側面閉塞部４２１ａと、この側面閉塞部４２１ａの前記表空間７１側の縁に連続する表折り曲げ部４２１ｂと、前記側面閉塞部４２１ａの前記裏空間７２側の縁に連続する裏折り曲げ部４２１ｃとを具備してなる。
【００２６】
前記戸尻フレーム４２２は、図５に示すように、前記スライド点検扉４の側面を閉塞する側面閉塞部４２２ａと、この側面閉塞部４２２ａの前記表空間７１側の縁に連続する表折り曲げ部４２２ｂと、前記側面閉塞部４２２ａの前記裏空間７２側の縁に連続する裏折り曲げ部４２２ｃとを具備してなる。前記戸尻フレーム４２２における表折り曲げ部４２２ｂの内面には、隣接する前記スライド点検扉４の戸先フレーム４２１に軽く接触するシール部を介して対面する遮音ゴムＲ２が設けられている。
【００２７】
前記上フレーム４２３は、図３に示すように、前記スライド点検扉４の上面を閉塞する上面閉塞部４２３ａと、この上面閉塞部４２３ａの前記表空間７１側の縁に連続する表折り曲げ部４２３ｂと、前記上面閉塞部４２３ａの前記裏空間７２側の縁に連続する裏折り曲げ部４２３ｃとを具備してなるもので、前記表折り曲げ部４２３ｂの内面に前記天井レール２に微少なクリアランスＣ３を介して対面する遮音ゴムＲ３が設けられている。この前記上フレーム４２３の上面閉塞部４２３ａの上面には、前記天井レール２に遊嵌する転倒防止用の起立部４２３ｄが設けられている。この起立部４２３ｄは、薄板状のもので、この起立部４２３ｄと前記天井レール２の内面との距離は、遮音用の微少クリアランスＣ３、Ｃ４よりもはるかに大きな値に設定されている。
【００２８】
前記下フレーム４２４は、図４及び図７に示すように、前記スライド点検扉４の下面を閉塞する下面閉塞部４２４ａと、この下面閉塞部４２４ａの前記表空間７１側の縁に連続する表折り曲げ部４２４ｂと、前記下面閉塞部４２４ａの前記裏空間７２側の縁に連続する裏折り曲げ部４２４ｃとを具備してなる。前記表折り曲げ部４２４ｂの内面には、前記床レール３に微少なクリアランスＣ４を介して対面する遮音ゴムＲ４が設けられている。
【００２９】
前記表面パネル４３は、図２乃至図７に示すように、前記扉枠４２の表空間７１側全域を覆う平板状のパネル本体４３１と、このパネル本体４３１の戸先側の縁に連続する目地形成用の戸先折り曲げ部４３１ａと、前記パネル本体４３１の戸尻側の縁に連続する目地形成用の戸尻折り曲げ部４３１ｂと、前記パネル本体４３１の上縁に連続する上折り曲げ部４３１ｃと、前記パネル本体４３１の下縁に連続する下折り曲げ部４３１ｄとを具備してなり、前記パネル本体４３１の内面には、石膏ボード４３２が添設されている。前記戸先折り曲げ部４３１ａ及び戸尻折り曲げ部４３１ｂは、それぞれ前記パネル本体４３１に対して鋭角をなすように内面側に折り曲げられたもので、扉を閉じた状態で前記戸先折り曲げ部４３１ａの先端縁と、隣接する前記スライド点検扉４の戸尻折り曲げ部４３１ｂとの先端縁との間に目地４６が形成されるようになっている。そしてこの目地底を形成するための底目地カバー４５を戸先フレーム４２１に取り付けている。また、前記パネル本体４３１の上端部４３１ｅ及びこれに連続する前記上折り曲げ部４３１ｃは上フレーム４２３の表折り曲げ部４２３ｂの外側を、前記パネル本体４３１の下端部４３１ｆ及びこれに連続する下折り曲げ部４３１ｄは前記下フレーム４２４の表折り曲げ部４２４ｂの外側を、それぞれ包囲するように形成されている。
【００３０】
この底目地カバー４５は、図３乃至図７に示すように、前記目地４６を通して前記表空間７１側から視認可能な状態で取り付けられたもので、その上端４５１は前記扉枠４２の上面閉塞部４２３ａの内面に一致させ、下端４５２は前記表面パネル４３の下端に一致させてある。すなわち、前記パネル本体４３１の上端部４３１ｅと前記上フレーム４２３の表折り曲げ部４２３ｂとを主体として、前記スライド点検扉４における上側の延出縁部４７１が形成されている。一方、この底目地カバー４５の下端部４５２は前記床レール３の化粧面３７１の一部を隠すように延出しており、この下端部４５２と前記パネル本体４３１の下端部４３１ｆと前記下フレーム４２４の表折り曲げ部４２４ｂとを主体として、前記スライド点検扉４における下側の延出縁部４７２が形成されている。また、この延出縁部４７２の内面の下端部に、前記遮音ゴムＲ４が設けられている。
【００３１】
前記裏面パネル４４は、図２乃至図７に示すように、前記扉枠４２の裏空間７２側全域を覆う平板状のパネル本体４４１と、このパネル本体４４１の戸先側の縁に連続する戸先折り曲げ部４４１ａと、前記パネル本体４４１の戸尻側の縁に連続する戸尻折り曲げ部４４１ｂと、前記パネル本体４４１の上縁に連続する上折り曲げ部４４１ｃと、前記パネル本体４４１の下縁に連続する下折り曲げ部４４１ｄとを具備してなる。前記パネル本体４４１の内面には、石膏ボード４４２が添設されている。また、前記下折り曲げ部４４１ｄの下面には、前記床レール３に軽く接触するシール部を介して対面する遮音ゴムＲ５が設けられている。
【００３２】
以上のようにしてなるスライド点検扉４は、上下の戸車４８、４９を有している。
【００３３】
上の戸車は、図３及び図８に示すように、天井レール２に添接して前記スライド点検扉４の厚み方向の傾動を抑止するためのもの（以下、この上の戸車を「ガイドローラ４８」と呼ぶ。）で、前記スライド点検扉４の外面に取り付けられている。具体的には、前記ガイドローラ４８は、ローラベース４８１に支軸４８１ｃを介してローラ本体４８２を回転可能に設けたものである。前記ローラベース４８１は、前記裏面パネル４４の外面に添接される取付板部４８１ａと、この取付板部４８１ａから外方へ延設され上端に水平部４８１ｂとを具備してなるもので、前記ローラベース４８１の水平部４８１ｂに前記ローラ本体４８２を前記支軸４８１ｃを介して支持させている。この支軸４８１ｃの軸心は鉛直方向に配向させてあり、前記ローラ本体４８２は前記支軸４８１ｃ周りに水平回転するようになっている。前記ガイドローラ４８のローラ本体４８２は、スライド点検扉４の上面閉塞部４２３ａと略同じ高さに位置づけられるように設定している。さらに、前記上面閉塞部４２３ａの高さ位置において、前記ガイドローラ４８と前記裏面パネル４４との間には、前記垂下部２２３及び遮音ゴムＲ１が位置づけられる。したがって、スライド点検扉４の移動の安定性と、遮音性の向上を確保することができる。また、前記ローラ本体４８２の外周は、前記天井レール２の外面、すなわち前記天井レール２のレール本体２２における垂下部２２３の外面に転接させてある。すなわち、前記スライド点検扉４は、前記表空間７１側に倒れるように重心設定がなされており、それによって前記ガイドローラ４８が常に前記レール本体２２に転接するようになっている。
【００３４】
また、このガイドローラ４８は、前記シール部の当たり調整をすることができるようにするべく、前記微小クリアランスＣ３が変化する方向に位置変更可能に取着している。詳述すれば、前記ローラベース４８１の取付板部４８１ａは、止着具、例えばビスＢ７を用いて前記スライド点検扉４の外面に着脱可能に取り付けられており、前記取付板部４８１ａと前記外面との間に必要に応じて薄いライナーＬを介在させることによって、前記上フレーム４２３の表折り曲げ部４２３ｂに設けた遮音ゴムＲ３と前記天井レール２との間の微少クリアランスＣ３、並びに、前記裏面パネル４４の上端部と前記天井レール２に設けた遮音ゴムＲ１との間の遮音ゴムの接触圧を調整することができるようになっている。前記ライナーＬは、前記ビスＢ７をゆるめるだけで前記取付板部４８１ａと前記裏面パネル４４との間に挿脱することができるように、一辺に開放されたビスＢ７挿通用の切欠部Ｌ１を備えている。
【００３５】
一方、下の戸車４９は、図４及び図７に示すように、前記床レール３に添接して前記スライド点検扉４に作用する重力を受けるためのもので、前記スライド点検扉４の外面に取り付けられている。具体的には、前記戸車４９は、戸車ベース４９１に支軸４９１ｃを介して戸車本体４９２を回転可能に設けたものである。前記戸車ベース４９１は、前記下フレーム４２４の下面に添接される取付板部４９１ａと、この取付板部４９１ａの両側縁から起立させた軸受部４９１ｂとを具備してなるもので、前記戸車ベース４９１の軸受部４９１ｂに前記戸車本体４９２を水平な前記支軸４９１ｃを介して支持させている。また、前記戸車本体４９２の外周は、前記床レール３のレール本体３２上に転接させてある。
【００３６】
前記開き戸点検扉５は、図１、図２及び図４に示すように、建築壁９３に固定された壁レール６に蝶番５１１を介して接続された扉枠５１と、この扉枠５１の前記表空間７１側に添設した表面パネル５２と、前記扉枠５１の裏空間７２側に添設した裏面パネル５３とを具備するもので、前記スライド点検扉４と面一となる閉止位置から前記表空間７１側に開くことができるようになっている。これら扉枠５１、表面パネル５２、及び裏面パネル５３の構造は前記スライド点検扉４に準じるものであるため、説明を省略する。
【００３７】
次いで、この扉装置１の作動を説明する。
【００３８】
本実施形態にかかる扉装置１は、図２に実線で示すように、両前記開き戸点検扉５を３枚の前記スライド点検扉４と面一となる閉止位置に保持した状態では、前記表空間７１と裏空間７２とが完全に仕切られることとなる。すなわち、この状態では、前記天井レール２又は前記床レール３と扉４、５との間には、微少なクリアランスＣ３、Ｃ４しか存在しないので、前記裏空間７２に配設した各種設備から発生する騒音を前記表空間７１に漏洩するのを抑制することができる。
【００３９】
前記各種設備の点検等を行う際には、前記開き戸点検扉５の少なくとも一方を開成させればよい。すなわち、一方の前記開き戸点検扉５のみを開成した場合には、前記スライド点検扉４は一枚の前記開き戸点検扉５の扉幅分の移動が可能となり、所望の位置に扉幅一枚分の開口を形成することができる。また、両方の前記開き戸点検扉５を開成した場合には、前記スライド点検扉４は二枚の前記開き戸点検扉５の扉幅分の移動が可能となり、所望の位置に扉幅二枚分の開口を形成することができる。
【００４０】
このようにして、点検等を行う際には前記スライド点検扉４を前記天井レール２及び床レール３に沿ってスライド移動させることができるが、その際に、前記スライド点検扉４の延出縁部４７２が前記床レール３の化粧面３７１に擦り傷をつけてしまうという不具合が発生することがない。すなわち、前記延出縁部４７２の内面は遮音ゴムＲ４と底目地カバー４５とにより形成されているが、これらは優先的に前記床レール３のレール本体３２に設けられた前記保護片３２３に摺接することにより、前記化粧面３７１には触れることがない。したがって、前記化粧面３７１に擦り傷が残るのを防止することができる。前記保護片３２３の表面は、塗装を有しないものであり、しかもヘアライン模様３２３ａを有しているため、多少の擦り傷がついても目立つことがない。
【００４１】
この前記スライド点検扉４を前記天井レール２及び床レール３との間に組み付ける際には、前記ガイドローラ４８を取り外した状態で前記スライド点検扉４を両レール２、３間にけんどん動作により装着する。しかる後に、前記スライド点検扉４の裏空間７２側にビスＢ７を用いて取り付けると、前記遮音ゴムＲ３と前記天井レール２との間、及び、遮音ゴムＲ１と前記スライド点検扉４との間にそれぞれ遮音用のシール部が形成される。より具体的には、表側の遮音ゴムＲ３と天井レール２との間には微少クリアランスＣ３が形成され、裏側の遮音ゴムＲ１と前記スライド点検扉４との間は前記遮音ゴムＲ１が前記スライド点検扉４の裏面パネル４４に軽く接触することとなる。ここで、前記微少クリアランスＣ３を調整したい場合には、前記ガイドローラ４８のローラべース４８１と前記裏面パネル４４との間に前記ライナーＬを挿入することにより、前記シール部の当たり調整を行う。この場合、一定厚さのライナーＬを複数枚用意しておき、必要枚数を使用して当たり調整を行ってもよいし、あるいは、厚さの異なるライナーＬを複数種類用意しておき、それらを選択的に使用して当たり調整を行ってもよい。これらのライナーＬは、一辺に切欠部Ｌ１を備えた構造を成しているので前記ビスＢ７をゆるめるだけで、前記ローラベース４８１と前記裏面パネル４４との間に挿脱することができる。
【００４２】
このように当たり調整を行うことにより、前記遮音用の微少クリアランスＣ３が適正なものとなり、良好な遮音性能を発揮することになる。詳述すれば、この実施形態の場合、前記ライナーＬによる当たり調整によって前記表空間７１側の微少クリアランスは適正な値に設定され、一方、前記裏空間７２側の遮音ゴムＲ１の接触圧を適正な値に設定することが可能になる。
【００４３】
以上に述べたように、本実施形態に係る扉装置１は、前記ガイドローラ４８が外側に位置することになるので、前記スライド点検扉４を両レール２、３に取り付ける作業において入念な調整を外部から行うことができ、前記ガイドローラ４８を後付けすることによって組立作業の簡略化を図ることができる。また、前記ガイドローラ４８が前記天井レール２の外側にあるので、この取り付け位置を変更するための手段を前記スライド点検扉４内に作り込む必要がなく、このような場合よりも簡単な構成によって当たり調整をすることが可能になる。特に、このような当たり調整を前記ライナーＬを用いて行っているため、高度な調整を比較的簡単な構成で解決することができる。
【００４４】
なお、本発明は以上に述べた実施形態に限られない。
【００４５】
前記ライナーは、一定厚さのライナーを複数枚用意しておき、必要枚数を使用して当たり調整を行ってもよいし、あるいは、厚さの異なるライナーを複数種類用意しておき、それらを選択的に使用してもよく、また、前記ライナーを１枚も用いずに当たり調整を行ってもよい。
【００４６】
また、当たり調整を行う方法は、前記ライナーの挿脱操作に限られず、例えば、ガイドローラにねじ送り機構を備えたものとし、このねじ送り機構によって当たり調整を行うものであってもよい。また、ガイドローラの支軸を位置変更可能に設けて、この支軸の位置を変更することにより当たり調整を行うものであってもよく、その他種々変更可能である。なお、前記天井レールにローラベースを取り付けるものであってもよい。
【００４７】
さらに、スライド点検扉及び開き戸点検扉には、任意の場所に丸落としやロックハンドル等を用いた施錠機構を設けてもよい。
【００４８】
また、天井レールは、天井に直接取り付けられるものに限られず、天井との間に上板材を介して取り付けるものであってもよく、同様に、床レールは、床に直接取り付けられるものに限られず、床との間に下板材を介して取り付けるものであってもよい。
【００４９】
その他、本発明の趣旨を損ねない範囲で種々に変更してよい。
【符号の説明】
【００５０】
１…扉装置
２…上のレール（天井レール）
３…下のレール（床レール）
４…扉（スライド点検扉）
４２３ｄ…起立部
４８…ガイドローラ
４８１…ローラベース
４８１ｃ…支軸
４８２…ローラ本体
Ｌ…ライナー
Ｌ１…切欠部
Ｂ７…ビス
【図１】
2010275804.tif 000003
【図２】
2010275804.tif 000004
【図３】
2010275804.tif 000005
【図４】
2010275804.tif 000006
【図５】
2010275804.tif 000007
【図６】
2010275804.tif 000008
【図７】
2010275804.tif 000009
【図８】
2010275804.tif 000010